(57)【要約】【課題】転がり軸受に取り付ける際の組立性が優れているオイルシールを提供する。また、組立性が優れている密封型転がり軸受を提供する。【解決手段】オイルシール６は、環状基部６１の外径側平面部分６６を外輪２の側面に接触させつつ第二凸部６４を外輪２の内周面の径方向内側に軸方向外側から嵌め込み、リップ部６２ａを内輪１の外周面に接触させることにより、内側突出部６２及び外側突出部６３を軸受外部側に向け且つ第二凸部６４を軸受内部側に向けて、深溝玉軸受の幅広側に取り付けられている。オイルシール６は、第二凸部６４とは逆方向に突出する第一凸部６５を備えているので、第一凸部６５を外輪２の内周面の径方向内側に圧入することによって、第二凸部６４を用いた場合とは逆向きに深溝玉軸受に取り付けることができるようになっている。【選択図】図１
2013249859.tif 000002
【特許請求の範囲】
【請求項１】
軌道面を備えた内輪と、前記内輪の軌道面に対向する軌道面を備えた外輪と、前記内輪の軌道面及び前記外輪の軌道面の間に転動自在に配された複数の転動体と、を備える転がり軸受に使用されるオイルシールであって、
前記外輪の内周面の径方向内側に圧入される凸部と、前記外輪の側面に接触する支持面と、前記内輪の外周面に滑り接触するリップ部とを有し、前記支持面を前記外輪の側面に接触させつつ前記凸部を前記外輪の内周面の径方向内側に軸方向外側から嵌め込み、前記リップ部を前記内輪の外周面に接触させることにより、前記転がり軸受に取り付け可能となっており、
環状基部と、該環状基部の径方向内端から略直角に屈曲して突出し且つ前記リップ部が形成された内側突出部と、前記環状基部の径方向外端から略直角に屈曲して前記内側突出部と同一方向に突出する外側突出部と、を備え、
前記凸部として、前記環状基部の径方向中間部分から前記２つの突出部と同一方向に突出して前記環状基部に対して略直角をなす第一凸部と、前記環状基部の径方向中間部分で且つ前記第一凸部と径方向同位置から前記２つの突出部とは逆方向に突出して前記環状基部に対して略直角をなす第二凸部と、を備え、前記第一凸部は、前記内側突出部を前記転がり軸受の内部側に向けて取り付けるための凸部であり、前記第二凸部は、前記内側突出部を前記転がり軸受の外部側に向けて取り付けるための凸部であり、
前記支持面として、前記外側突出部の先端に形成された第一支持面と、前記環状基部の前記第二凸部よりも径方向外方側に前記第二凸部に隣接して形成された第二支持面と、を備え、前記第一支持面は、前記外輪の内周面の径方向内側に前記第一凸部が圧入される場合に前記外輪の側面に接触する支持面であり、前記第二支持面は、前記外輪の内周面の径方向内側に前記第二凸部が圧入される場合に前記外輪の側面に接触する支持面であることを特徴とするオイルシール。
【請求項２】
前記第一凸部は前記内側突出部よりも前記環状基部からの突出長さが長いことを特徴とする請求項１に記載のオイルシール。
【請求項３】
軸方向幅が４ｍｍ以上であることを特徴とする請求項１又は請求項２に記載のオイルシール。
【請求項４】
軌道面を備えた内輪と、前記内輪の軌道面に対向する軌道面を備えた外輪と、前記内輪の軌道面及び前記外輪の軌道面の間に転動自在に配された複数の転動体と、を備える転がり軸受であって、
請求項１〜３のいずれか一項に記載のオイルシールが、前記内輪及び前記外輪に同心に配され、前記支持面を前記外輪の側面に接触させつつ前記第一凸部又は前記第二凸部を前記外輪の内周面の径方向内側に軸方向外側から嵌め込み、前記リップ部を前記内輪の外周面に接触させることにより取り付けられていることを特徴とする密封型転がり軸受。
【請求項５】
前記転動体の軸方向中央位置を基準として軸方向右側及び軸方向左側の少なくとも一方が、前記外輪よりも前記内輪の方が幅広になっており、前記外輪よりも前記内輪の方が幅広になっている側に前記オイルシールが取り付けられていることを特徴とする請求項４に記載の密封型転がり軸受。
【発明の詳細な説明】
【技術分野】
【０００１】
本発明は、オイルシール及びそれを備えた密封型転がり軸受に関する。
【背景技術】
【０００２】
従来、転がり軸受には、軸受外部から軸受内部（軌道面や転動体が配されている軸受内部空間）への水、水蒸気、異物等の侵入を防止するとともに、軸受内部に封入されたグリース、潤滑油等の潤滑剤の漏洩を防止するため、外輪の内周面と内輪の外周面との間に形成された間隙の開口を塞ぐようにシールが設けられている。特に、グリース封入型の転がり軸受には、グリースの漏洩を防ぐ効果が優れているオイルシールが使用されることがある。
【０００３】
例えば、回転軸が転がり軸受を介してハウジングに回転自在に支持されている軸受構造においては、オイルシールは、回転軸とハウジングとの間に介在され、転がり軸受に隣接して配されている。詳述すると、略環状のオイルシールの径方向外端側に位置する基端部がハウジングに固定され、先端部が回転軸に向けて径方向内方に延出し、その延出端（リップ部）が回転軸に滑り接触している。
【０００４】
しかしながら、前記軸受構造を組み立てる場合には、転がり軸受とオイルシールを回転軸とハウジングとの間に取り付ける必要があるので、組み立てに供する部品の点数が多いことに加えて、組立性が十分ではなくコストアップに繋がるという問題があった。
このような事情から、部品点数の多さと組立性の不十分さを改善する技術が、例えば特許文献１に提案されている。特許文献１に開示の技術においては、オイルシールは、内輪と外輪との間に介在され、転がり軸受と一体とされている。詳述すると、図１０に示すように、略環状のオイルシール１０６の径方向外端側に位置する基端部１１１が外輪１０２の内周面に圧入固定され、先端部１１２が内輪１０１に向けて延出し、その延出端１１３（リップ部）が内輪１０１の外周面に滑り接触している。
【０００５】
このような特許文献１に開示の技術は、オイルシール１０６が転がり軸受と一体とされているため、オイルシールが回転軸とハウジングとの間に介在されている前述の場合と比べると、軸受構造の組み立てに供する部品の点数が少ないことに加えて、組立性が向上している。
【先行技術文献】
【特許文献】
【０００６】
【特許文献１】特開２００８−２５６１３５号公報
【特許文献２】特表２００２−５０４６５３号公報
【発明の概要】
【発明が解決しようとする課題】
【０００７】
しかしながら、特許文献１に開示の技術は、一般的な転がり軸受よりも幅広に形成された外輪１０２の内周面に、軸方向に延びる基端部１１１が圧入されており、図１０から分かるように外輪１０２の内周面とオイルシール１０６の基端部１１１との接触面積が大きいので、オイルシール１０６の圧入固定において内輪１０１と外輪１０２の間にオイルシール１０６を挿入する際に比較的大きな力が必要であった。そのため、オイルシール１０６を転がり軸受に取り付ける際の組立性に問題があった。
【０００８】
特許文献２には、突部が設けられた弾性部材を有するオイルシールが開示されており、外輪の内周面に形成された環状溝に突部をスナップ動作で嵌め込むことにより、オイルシールを転がり軸受に取り付けることが可能とされているが、このような組み立て方法も、量産する場合においては組立性が十分に優れているとは言えず、改善の余地があった。
【０００９】
また、特許文献２に開示の転がり軸受においては、標準品の内輪及び外輪が使用されており、内輪及び外輪の幅は同寸法であるので、オイルシールを取り付けると軸受内部空間が狭くなる。その結果、軸受内部空間へのグリースの充填量が制限され、且つ、電動工具等の高速回転で使用される機器に取り付けると、高温によるグリースの漏洩が発生するおそれがあった。
そこで、本発明は、上記のような従来技術が有する問題点を解決し、転がり軸受に取り付ける際の組立性が優れているオイルシールを提供することを課題とする。また、組立性が優れている密封型転がり軸受を提供することを課題とする。
【課題を解決するための手段】
【００１０】
前記課題を解決するため、本発明の態様は次のような構成からなる。すなわち、本発明の一態様に係るオイルシールは、軌道面を備えた内輪と、前記内輪の軌道面に対向する軌道面を備えた外輪と、前記内輪の軌道面及び前記外輪の軌道面の間に転動自在に配された複数の転動体と、を備える転がり軸受に使用されるオイルシールであって、前記外輪の内周面の径方向内側に圧入される凸部と、前記外輪の側面に接触する支持面と、前記内輪の外周面に滑り接触するリップ部とを有し、前記支持面を前記外輪の側面に接触させつつ前記凸部を前記外輪の内周面の径方向内側に軸方向外側から嵌め込み、前記リップ部を前記内輪の外周面に接触させることにより、前記転がり軸受に取り付け可能となっており、環状基部と、該環状基部の径方向内端から略直角に屈曲して突出し且つ前記リップ部が形成された内側突出部と、前記環状基部の径方向外端から略直角に屈曲して前記内側突出部と同一方向に突出する外側突出部と、を備え、前記凸部として、前記環状基部の径方向中間部分から前記２つの突出部と同一方向に突出して前記環状基部に対して略直角をなす第一凸部と、前記環状基部の径方向中間部分で且つ前記第一凸部と径方向同位置から前記２つの突出部とは逆方向に突出して前記環状基部に対して略直角をなす第二凸部と、を備え、前記第一凸部は、前記内側突出部を前記転がり軸受の内部側に向けて取り付けるための凸部であり、前記第二凸部は、前記内側突出部を前記転がり軸受の外部側に向けて取り付けるための凸部であり、前記支持面として、前記外側突出部の先端に形成された第一支持面と、前記環状基部の前記第二凸部よりも径方向外方側に前記第二凸部に隣接して形成された第二支持面と、を備え、前記第一支持面は、前記外輪の内周面の径方向内側に前記第一凸部が圧入される場合に前記外輪の側面に接触する支持面であり、前記第二支持面は、前記外輪の内周面の径方向内側に前記第二凸部が圧入される場合に前記外輪の側面に接触する支持面であることを特徴とする。
このオイルシールにおいては、前記第一凸部は前記内側突出部よりも前記環状基部からの突出長さが長いことが好ましい。また、このオイルシールにおいては、軸方向幅が４ｍｍ以上であることが好ましい。
【００１１】
また、本発明の他の態様に係る密封型転がり軸受は、軌道面を備えた内輪と、前記内輪の軌道面に対向する軌道面を備えた外輪と、前記内輪の軌道面及び前記外輪の軌道面の間に転動自在に配された複数の転動体と、を備える転がり軸受であって、前記オイルシールが、前記内輪及び前記外輪に同心に配され、前記支持面を前記外輪の側面に接触させつつ前記第一凸部又は前記第二凸部を前記外輪の内周面の径方向内側に軸方向外側から嵌め込み、前記リップ部を前記内輪の外周面に接触させることにより取り付けられていることを特徴とする。
この密封型転がり軸受においては、前記転動体の軸方向中央位置を基準として軸方向右側及び軸方向左側の少なくとも一方が、前記外輪よりも前記内輪の方が幅広になっており、前記外輪よりも前記内輪の方が幅広になっている側に前記オイルシールが取り付けられていることが好ましい。
【発明の効果】
【００１２】
本発明のオイルシールは、外輪の内周面の径方向内側に圧入される凸部と、外輪の側面に接触する支持面と、内輪の外周面に滑り接触するリップ部とを有し、支持面を外輪の側面に接触させつつ凸部を外輪の内周面の径方向内側に軸方向外側から嵌め込み、リップ部を内輪の外周面に接触させることにより、転がり軸受に取り付け可能となっているので、転がり軸受に取り付ける際の組立性が優れている。
【００１３】
さらに、本発明のオイルシールは、２つの凸部を備えているので、内側突出部が転がり軸受の内部側を向く方向と、内側突出部が転がり軸受の外部側を向く方向とのいずれの向きでも、転がり軸受に取り付けることが可能である。
また、本発明の密封型転がり軸受は、外輪の内周面の径方向内側に圧入される凸部と、外輪の側面に接触する支持面と、内輪の外周面に滑り接触するリップ部とを有するオイルシールを備えており、このオイルシールが、支持面を外輪の側面に接触させつつ凸部を外輪の内周面の径方向内側に軸方向外側から嵌め込み、リップ部を内輪の外周面に接触させることにより取り付けられているので、組立性が優れている。
【図面の簡単な説明】
【００１４】
【図１】第一実施形態の密封型転がり軸受の部分縦断面図である。
【図２】第一実施形態の密封型転がり軸受の第一変形例の部分縦断面図である。
【図３】第一実施形態の密封型転がり軸受の第二変形例の部分縦断面図である。
【図４】第二実施形態の密封型転がり軸受の部分縦断面図である。
【図５】第二実施形態の密封型転がり軸受の第一変形例の部分縦断面図である。
【図６】第二実施形態の密封型転がり軸受の第二変形例の部分縦断面図である。
【図７】第二実施形態の密封型転がり軸受の第三変形例の部分縦断面図である。
【図８】第二実施形態の密封型転がり軸受の第四変形例の部分縦断面図である。
【図９】第一実施形態の密封型転がり軸受の第三変形例の部分縦断面図である。
【図１０】従来のオイルシールを備える密封型転がり軸受の部分縦断面図である。
【発明を実施するための形態】
【００１５】
本発明に係るオイルシール及び該オイルシールを備えた密封型転がり軸受の実施の形態を、図面を参照しながら詳細に説明する。
〔第一実施形態〕
図１は、本発明に係る密封型転がり軸受の第一実施形態である深溝玉軸受の構成を示す部分縦断面図である。この深溝玉軸受は、外周面に軌道面１ａを備えた内輪１と、内輪１の軌道面１ａに対向する軌道面２ａを内周面に備えた外輪２と、内輪１の軌道面１ａ及び外輪２の軌道面２ａの間に転動自在に配された複数の転動体（玉）３と、転動体３を保持する保持器４と、内輪１及び外輪２に同心に配された略環状のシール５及びオイルシール６と、を備えている。
【００１６】
内輪１と外輪２とでは軌道輪幅が異なっており、外輪２よりも内輪１の方が幅広になっている。外輪２には、一般的な深溝玉軸受に用いられるものと同じ寸法の外輪を用いているのに対して、内輪１には、外輪２よりも幅広に形成されたもの（すなわち、一般的な深溝玉軸受に用いられるものとは異なり幅広な内輪）を用いている。
外輪２は一般的なものであるので、図１から分かるように、転動体３の軸方向中央位置（一点鎖線で示す軸方向位置）を基準として軸方向左右両側の幅（軸方向幅）は同一である。また、外輪２には一般的なものが使用されているので、本実施形態の深溝玉軸受は、製造コストを抑えることができる。一方、内輪１は、転動体３の軸方向中央位置を基準として例えば軸方向左側が幅広となっており、反対側の軸方向右側の軸方向幅は外輪２と同一となっている。以下、内輪１の軸方向幅が幅広となっている軸方向左側を「幅広側」、内輪１の軸方向幅が外輪２の軸方向幅と同一である軸方向右側を「幅狭側」と記すこともある。
【００１７】
転動体３の軸方向中央位置から外輪２の側面までの軸方向幅を１とした場合、転動体３の軸方向中央位置から内輪１の右側面（幅狭側の側面）までの軸方向幅は１であり、転動体３の軸方向中央位置から内輪１の左側面（幅広側の側面）までの軸方向幅は１．３以上１．８以下であることが好ましい。すなわち、転動体３の軸方向中央位置を基準とした場合の内輪１の左右の幅の比率は１．３倍以上１．８倍以下であることが好ましい。
【００１８】
図１０に示す従来技術の転がり軸受の場合は、内輪１０１及び外輪１０２が一般的な転がり軸受よりも幅広に形成されており、内輪１０１、外輪１０２ともに、幅広側の軸方向幅は幅狭側の軸方向幅の２．０倍であった。これに対して、本実施形態の深溝玉軸受は１．３倍以上１．８倍以下である。１．３倍以上であることから、後述するオイルシール６の設置スペースが確保できるので、前記従来技術の転がり軸受と同程度の密封性が得られる。一方、１．８倍以下であることから、前記従来技術の転がり軸受に比べて幅狭であり、小型化、省スペース化が可能である。
【００１９】
シール５は深溝玉軸受の幅狭側に装着されており、オイルシール６は深溝玉軸受の幅広側に装着されている。シール５及びオイルシール６は、内輪１の外周面と外輪２の内周面との間に形成された間隙の開口を閉鎖し、軸受内部を密封するものであり、内輪１、外輪２、転動体３、シール５、及びオイルシール６によって囲まれた軸受内部空間には、図示しない潤滑剤（例えば潤滑油、グリース）が封入されている。
ここで、シール５について説明する。シール５は、ゴム組成物等の弾性材料で構成されており、金属又はプラスチックで構成されている補強部材５ａを内包することにより補強されている。なお、シール５は、弾性材料のみで構成されていてもよく、補強部材５ａを有していなくてもよい。
【００２０】
このようなシール５は、径方向外端部に形成された取り付け部５ｂが、外輪２の内周面の軸方向右端部に形成されたシール溝２ｂに圧入されることにより取り付けられており、径方向内端部に形成されたリップ５ｃが、内輪１の外周面の軸方向右端部に形成された溝状のシール接触面１ｂに滑り接触するようになっている。
シール５のリップ５ｃは、溝状のシール接触面１ｂの軸方向中央部から軸方向外側（図１の例では右側）に向かって延びて、溝状のシール接触面１ｂのうち溝底から立ち上がった側面に滑り接触しており、シール５はいわゆる外当たりタイプの接触シールである。シール５を接触シールとすれば密封性が高く、特に外当たりタイプの接触シールとすれば、軸受内部から軸受外部に潤滑剤が漏洩することを防ぐ効果が高い。
【００２１】
ただし、シール５をいわゆる内当たりタイプの接触シールとすることも可能である。すなわち、シール５のリップが、溝状のシール接触面１ｂの軸方向中央部から軸方向内側（図１の例では左側）に向かって延びて、溝状のシール接触面１ｂのうち溝底から立ち上がった側面に滑り接触しているタイプの接触シールでもよい。また、シール５を非接触シールとすることも可能である。
【００２２】
次に、オイルシール６について説明する。オイルシール６は、ゴム組成物等の弾性材料で構成されており、芯金６ａを内包することにより強度が補強されている。弾性材料の具体例としては、ニトリルゴム、アクリルゴム、フッ素ゴム、シリコンゴム、ウレタンゴム等のゴム材料や合成樹脂（ポリアミド４６，ポリアミド６６等のポリアミドが好ましい）等があげられるが、これに限定されるものではない。
【００２３】
また、芯金６ａは、オイルシール６の強度を補強できる材質で構成されていればよく、例えば金属やプラスチック等があげられるが、これに限定されるものではない。また、オイルシール６は、弾性材料のみで構成されていてもよく、芯金６ａを有していなくてもよい。
オイルシール６の形状は、以下の通りである。オイルシール６は、環状基部６１と、環状基部６１の径方向内端から略直角に屈曲して軸方向外側（図１では左側）に突出する内側突出部６２と、環状基部６１の径方向外端から略直角に屈曲して内側突出部６２と同一方向に突出する外側突出部６３と、環状基部６１の径方向中間部分（径方向内端と径方向外端との間の部分）から前記２つの突出部６２，６３と同一方向に突出する第一凸部６５と、環状基部６１の径方向中間部分で且つ第一凸部６５と径方向同位置から前記２つの突出部６２，６３とは逆方向に突出する第二凸部６４と、を備えている。
【００２４】
詳述すると、環状基部６１は、板面が深溝玉軸受の径方向に沿う円板状をなしており、中心に形成された孔に内輪１が挿通されている。内側突出部６２は、環状基部６１の径方向内端から軸方向外側に延びて円筒状をなしており、その径方向内側面には内輪１の外周面に滑り接触するリップ部６２ａが形成されている。外側突出部６３は、環状基部６１の径方向外端から軸方向外側に延びて円筒状をなしている。
【００２５】
第一凸部６５は、環状基部６１の径方向中央部近傍（径方向中央部から若干径方向外方寄りの部分）から環状基部６１に対して略直角をなして軸方向外側に延び、円筒状をなしている。また、第二凸部６４は、環状基部６１の径方向中央部近傍（径方向中央部から若干径方向外方寄りの部分）から環状基部６１に対して略直角をなして軸方向内側に延び、円筒状をなしている。なお、第一凸部６５及び第二凸部６４は、環状基部６１に対して略直角をなして軸方向外側又は内側に突出する例えば円錐形状、円柱形状、角錐形状、又は角柱形状の突起を周方向に沿って複数並べることによって構成することもできる。
【００２６】
内側突出部６２には、その外周に沿って弾性リング７（例えばガータスプリング）が掛け渡されており、弾性リング７の締め付け量に応じて、リップ部６２ａを内輪１の外周面に対して所定の緊迫力で摺接した状態に位置決めすることができる。内輪１の外周面は、研磨等により表面粗さが例えば０．４μｍＲａ以下とされている。ここで、緊迫力とは、内輪１の外周面に対するリップ部６２ａの摺接力（換言すると、弾性リング７によって内輪１の外周面に締め付けられる際のリップ部６２ａの締付力）を指す。これにより、リップ部６２ａの摺接力が高くなるため、本実施形態の深溝玉軸受は、グリースの漏洩が極めて生じにくい。
【００２７】
なお、第一凸部６５は内側突出部６２よりも環状基部６１からの突出長さが長く形成されている。このような形状であれば、深溝玉軸受に取り付ける以前の保管、運搬等において、複数個のオイルシール６を同一の向きに揃えた状態で重ねたとしても、内側突出部６２よりも第一凸部６５の方が長いため、隣接するオイルシール６同士の接触によって内側突出部６２に形成されたリップ部６２ａに破損が生じることが防止される。
【００２８】
このようなオイルシール６は、内側突出部６２、外側突出部６３、及び第一凸部６５を軸受外部側（図１では左側）に向け且つ第二凸部６４を軸受内部側（図１では右側）に向けて、深溝玉軸受に取り付けられている。このとき、第二凸部６４は、外輪２の内周面の径方向内側に軸方向外側から圧入されて嵌め込まれている。また、第二凸部６４よりも径方向外方側に第二凸部６４に隣接して形成されている環状基部６１の外径側平面部分６６（本発明の構成要件である第二支持面に相当する）が、外輪２の側面に当接している。さらに、内側突出部６２に形成されたリップ部６２ａが、内輪１の外周面に接触している。オイルシール６は、これら第二凸部６４、外径側平面部分６６、及びリップ部６２ａがそれぞれ内輪１及び外輪２と係合又は接触することにより、深溝玉軸受に着脱可能に取り付けられている。
【００２９】
このように、本実施形態の深溝玉軸受は、オイルシール６と一体とされている。よって、回転軸が転がり軸受を介してハウジングに回転自在に支持される軸受構造を組み立てるに際しては、オイルシールが転がり軸受と別体である場合に比べて、組み立てに供される部品の点数が少ないことに加えて、軸受構造の組立性が優れている。
【００３０】
また、図１０に示す従来技術の転がり軸受の場合は、前述したように、一般的な転がり軸受よりも幅広に形成された外輪１０２の内周面に、軸方向に延びる基端部１１１が圧入され、図１０から分かるように外輪１０２の内周面とオイルシール１０６の基端部１１１との接触面積が大きいので、オイルシール１０６の圧入固定において内輪１０１と外輪１０２の間にオイルシール１０６を挿入する際に比較的大きな力が必要であった。そのため、オイルシール１０６を転がり軸受に取り付ける際の組立性に問題があった。
しかしながら、本実施形態の深溝玉軸受は、オイルシール６と外輪２の内周面との接触面積が小さいので、オイルシール６を深溝玉軸受に圧入固定する際には小さい力で十分であり、深溝玉軸受の組立性が優れている。
【００３１】
詳述すると、図１から分かるように、外輪２の内周面の軸方向左端部にはシール溝が形成されているので、第二凸部６４の根元部分は外輪２の内周面に接触しているものの、第二凸部６４の先端部は外輪２の内周面に接触していない。すなわち、第二凸部６４と外輪２の内周面との接触面積が小さいので、第二凸部６４を外輪２の内周面の径方向内側に圧入する際しては、小さな圧入力で十分に嵌め込むことができる。しかも、外径側平面部分６６及びリップ部６２ａの接触により、オイルシール６は深溝玉軸受に確実に固定される。よって、本実施形態の深溝玉軸受は、オイルシール６の取り付けが容易で組立性が優れているので、製造コストが低く、量産性に優れている。
【００３２】
また、本実施形態のオイルシール６は、２つの凸部６４，６５を備えているので、上記のように、第二凸部６４を外輪２の内周面の径方向内側に圧入することによって深溝玉軸受に取り付け可能であることに加えて、第一凸部６５を外輪２の内周面の径方向内側に圧入することによっても深溝玉軸受に取り付け可能である。第一凸部６５を用いてオイルシール６を深溝玉軸受に取り付けると、図１の例とは逆に、内側突出部６２及び外側突出部６３を深溝玉軸受の内部側に向けてオイルシール６が取り付けられることとなり、すなわち本実施形態のオイルシール６は、いずれの向きにでも深溝玉軸受に取り付けることが可能となっている。
【００３３】
第一凸部６５を用いてオイルシール６を図１とは逆向きに深溝玉軸受に取り付けた例（図４）については、第二実施形態で詳述するが、第一凸部６５は、内側突出部６２及び外側突出部６３を深溝玉軸受の内部側に向けてオイルシール６を取り付けるための凸部であり、後述する外側突出部６３の平面部分６７（第一支持面）は、外輪２の内周面の径方向内側に第一凸部６５が圧入される場合に外輪２の側面に接触する支持面である。
【００３４】
これに対して第二凸部６４は、前述したように、内側突出部６２及び外側突出部６３を深溝玉軸受の外部側に向けてオイルシール６を取り付けるための凸部であり、外径側平面部分６６（第二支持面）は、外輪２の内周面の径方向内側に第二凸部６４が圧入される場合に外輪２の側面に接触する支持面である。
なお、本実施形態の深溝玉軸受においては、オイルシール６の軸方向幅は４ｍｍ以上であることが好ましい。４ｍｍ以上であれば、軸受内部からの潤滑剤の漏洩を防止する効果がより優れている。
【００３５】
また、本実施形態の深溝玉軸受においては、オイルシール６の外径は外輪２の外径よりも大きく、オイルシール６の外周面６ｂが外輪２の外周面よりも径方向外方に突出していることが好ましい。図１の例では、オイルシール６の外周面６ｂが波形に形成されていて、波形の頂部は外輪２の外周面よりも径方向外方に突出している。
このような構成であれば、本実施形態の深溝玉軸受を図示しないハウジングと回転軸との間に介装した際には、ハウジングの内周面にオイルシール６が圧入されることとなるので、ハウジングとオイルシール６との間に密封性が付与される。すなわち、ハウジングの内周面とオイルシール６の外周面６ｂ及び外輪２の外周面との間を通って、異物（グリース、油、粉塵等）が深溝玉軸受の軸方向右側から軸方向左側（あるいはその逆）へ移動することを防ぐことができる。よって、密封性を高める目的でハウジングの内周面と外輪２の外周面との間にＯリングを配する必要がない。
【００３６】
さらに、本実施形態の深溝玉軸受においては、図２に示す変形例のように、回転軸と外周面と内輪１の内周面との間に密封性を付与するために、Ｏリング８を配してもよい。すなわち、内輪１の内周面に、周方向に沿って連続して凹状に窪ませた凹溝９を形成し、この凹溝９内にＯリング８を装着してもよい。Ｏリング８により密封性が付与されるとともに、深溝玉軸受のクリープを防ぐことができる。
【００３７】
図２においては、２つの凹溝９にそれぞれＯリング８を装着する例を示したが、これに限定されるものではなく、深溝玉軸受の使用目的や使用環境に応じて、凹溝９の数を３つ以上とし、そこにＯリング８を装着してもよいし、あるいは、凹溝９の数を１つとすることもできる。装着するＯリング８の数が多いと、深溝玉軸受のクリープを防ぐ効果が高くなる。
【００３８】
さらに、保持器４の種類は特に限定されるものではないが、本実施形態においては冠形保持器を用いた例を示している。冠形保持器は、円環状の主部と、主部の軸方向一端面に設けられ転動体３を転動可能に収容する複数のポケットと、を備え、これらポケットは、主部の前記端面に設けられた凹部と、その凹部を周方向両側から挟む一対のつのと、で構成されている。そして、本実施形態においては、ポケットが形成された軸方向端面がオイルシール６と対向するように（すなわち、ポケットが形成されていない側の軸方向端面は、シール５と対向する）、冠形保持器が深溝玉軸受に組み込まれている。なお、保持器４は、備えていなくてもよい。
【００３９】
このような本実施形態の深溝玉軸受は、電動工具（例えばハンマードリル）、ギヤボックス、ギヤードモータ、農業機械（例えばチェーンソー）、洗濯機（ドラム）等のような高密封性を必要とする機器、装置に好適に用いられる。
なお、本実施形態においては、深溝玉軸受の軸方向一端側にシール５を取り付け、他端側にオイルシール６を取り付けたが、図３に示すように軸方向両端にオイルシール６を取り付けてもよい。図３の例では、第二凸部６４を外輪２の内周面の径方向内側に圧入することによって、２つのオイルシール６が、内側突出部６２及び外側突出部６３を深溝玉軸受の外部側に向けて深溝玉軸受に取り付けられている。
【００４０】
図３のように軸方向両端にオイルシール６を取り付けた場合には、内輪１は、図１の例よりも幅広となる。すなわち、転動体３の軸方向中央位置を基準として軸方向左右両側の軸方向幅を同一とし、左右両側いずれも、転動体３の軸方向中央位置から外輪２の側面までの軸方向幅の１．３倍以上１．８倍以下とする。
軸方向両端にオイルシール６を取り付けると、深溝玉軸受が幅広とはなるものの、軸受内部への異物侵入の防止能力は高まり（密封性が高まる）、左右いずれの方向からも異物が侵入しにくくなる。図３の第二変形例においても、内輪１の内周面に、周方向に沿って連続して凹状に窪ませた凹溝９を形成し、この凹溝９内にＯリング８を装着してもよい。Ｏリング８により密封性が付与されるとともに、深溝玉軸受のクリープを防ぐことができる。
【００４１】
〔第二実施形態〕
図４は、本発明に係る密封型転がり軸受の第二実施形態である深溝玉軸受の構成を示す部分縦断面図である。なお、第二実施形態の深溝玉軸受の構成及び作用効果は、シール５及びオイルシール６を除いて第一実施形態とほぼ同様であるので、異なる部分のみ説明し、同様の部分の説明は省略する。また、図４においては、図１と同一又は相当する部分には、図１と同一の符号を付してある。
【００４２】
まず、シール５について説明する。深溝玉軸受の幅狭側に装着されたシール５のリップ５ｃは、溝状のシール接触面１ｂの軸方向中央部から軸方向内側（図４の例では左側）に向かって延びて、溝状のシール接触面１ｂのうち溝底から立ち上がった側面に滑り接触しており、シール５はいわゆる内当たりタイプの接触シールである。シール５を接触シールとすれば密封性が高く、特に内当たりタイプの接触シールとすれば、軸方向右側から軸受内部に異物が侵入することを防ぐ効果が高い。よって、異物が軸方向右側から侵入して軸受内部を貫通し、オイルシール６の軸方向左側の空間に侵入することを効果的に防ぐことができる。
【００４３】
ただし、シール５を前述の外当たりタイプの接触シールとすることも可能である。すなわち、図５に示すように、シール５のリップが、溝状のシール接触面１ｂの軸方向中央部から軸方向外側（図５の例では右側）に向かって延びて、溝状のシール接触面１ｂのうち溝底から立ち上がった側面に滑り接触しているタイプの接触シールでもよい。外当たりタイプの接触シールを用いれば、軸受内部から軸受外部に潤滑剤が漏洩することを防ぐ効果が高い。なお、シール５を非接触シールとすることも可能である。
【００４４】
次に、オイルシール６について説明する。オイルシール６は、第一実施形態で用いたものと同一のものであるが、第一実施形態とは逆向きに深溝玉軸受に取り付けられている。すなわち、内側突出部６２、外側突出部６３、及び第一凸部６５を軸受内部側（図４では右側）に向けて、深溝玉軸受に取り付けられている。このとき、第一凸部６５が、外輪２の内周面の径方向内側に軸方向外側から圧入されて嵌め込まれている。また、第一凸部６５よりも径方向外方側に位置する外側突出部６３の先端に形成されている平面部分６７（本発明の構成要件である第一支持面に相当する）が、外輪２の側面に当接している。さらに、内側突出部６２に形成されたリップ部６２ａが、内輪１の外周面に接触している。オイルシール６は、これら第一凸部６５、平面部分６７、及びリップ部６２ａがそれぞれ内輪１及び外輪２と係合又は接触することにより、深溝玉軸受に着脱可能に取り付けられている。
【００４５】
このような本実施形態の深溝玉軸受は、第一実施形態と同様の作用効果を有することに加えて、以下のような作用効果を有する。すなわち、リップ部６２ａが形成された内側突出部６２が、第一実施形態とは逆に軸受内部側（図４では右側）に向かって突出しているので、オイルシール６は、軸受内部の潤滑剤や異物が軸受外部側に漏出することを防ぐ性能が優れている。よって、異物がシール５を通過して軸受内部に侵入したとしても、異物が軸受内部を貫通してオイルシール６の軸方向左側の空間に侵入することを効果的に防ぐことができる。
【００４６】
なお、図６に示す変形例のように、回転軸と外周面と内輪１の内周面との間に密封性を付与するために、Ｏリング８を配してもよい。すなわち、内輪１の内周面に、周方向に沿って連続して凹状に窪ませた凹溝９を形成し、この凹溝９内にＯリング８を装着してもよい。Ｏリング８により密封性が付与されるとともに、深溝玉軸受のクリープを防ぐことができる。
【００４７】
また、第二実施形態においては、深溝玉軸受の軸方向一端側にシール５を取り付け、軸方向他端側にオイルシール６を取り付けたが、軸方向両端にオイルシール６を取り付けてもよい。その場合には、第一凸部６５を外輪２の内周面の径方向内側に圧入することによって、内側突出部６２及び外側突出部６３を深溝玉軸受の内部側に向けて、２つのオイルシール６を深溝玉軸受に取り付けてもよい。すなわち、２つのオイルシール６を、図３とは逆向きに取り付けてもよい。
【００４８】
あるいは、図７，８に示すように、軸方向両端のオイルシール６のうち一方は、第一凸部６５を外輪２の内周面の径方向内側に圧入することによって、内側突出部６２及び外側突出部６３を深溝玉軸受の内部側に向けて取り付け、他方は、第二凸部６４を外輪２の内周面の径方向内側に圧入することによって、内側突出部６２及び外側突出部６３を深溝玉軸受の外部側に向けて取り付けてもよい。
【００４９】
軸方向両端にオイルシール６を取り付けた場合には、内輪１は、図４の例よりも幅広となる。すなわち、転動体３の軸方向中央位置を基準として軸方向左右両側の軸方向幅を同一とし、左右両側いずれも、転動体３の軸方向中央位置から外輪２の側面までの軸方向幅の１．３倍以上１．８倍以下とする。
軸方向両端にオイルシール６を取り付けると、深溝玉軸受が幅広とはなるものの、軸受内部への異物侵入の防止能力は高まる（密封性が高まる）。図７に示す第三変形例は、左右いずれのオイルシール６についても、リップ部６２ａが形成された内側突出部６２が、軸方向右側に向かって突出しているので、異物が軸受内部を右側から貫通して深溝玉軸受の軸方向左側の空間に侵入することを効果的に防ぐことができる。
【００５０】
反対に図８に示す第四変形例は、左右いずれのオイルシール６についても、リップ部６２ａが形成された内側突出部６２が、軸方向左側に向かって突出しているので、異物が軸受内部を左側から貫通して深溝玉軸受の軸方向右側の空間に侵入することを効果的に防ぐことができる。
図７，８の変形例においても、内輪１の内周面に、周方向に沿って連続して凹状に窪ませた凹溝９を形成し、この凹溝９内にＯリング８を装着してもよい。Ｏリング８により密封性が付与されるとともに、深溝玉軸受のクリープを防ぐことができる。
【００５１】
なお、第一及び第二実施形態は本発明の一例を示したものであって、本発明は第一及び第二実施形態に限定されるものではない。
例えば、第一実施形態においては第一凸部６５の突出先端（軸方向先端）、第二実施形態においては第二凸部６４の突出先端（軸方向先端）が、内輪１の側面よりも軸方向外側に突出しているが、いずれの実施形態においても、内輪１の側面よりも軸方向外側に突出しない形態としてもよい。例えば第一実施形態の場合であれば、図９に示す第三変形例のように、第一凸部６５及び外側突出部６３の環状基部６１からの突出長さを短く形成して、第一凸部６５の突出先端が内輪１の側面よりも軸方向外側に突出しないようにしてもよい。
【００５２】
また、第一及び第二実施形態においては、オイルシール６は外輪２に取り付けられ、内輪１の外周面に滑り接触する構成とされていたが、これとは逆に、内輪１に取り付けられ、外輪２に滑り接触する構成としてもよい。その場合には、内輪幅と外輪幅の大きさの関係も逆にし、内輪を幅狭（一般的な内輪幅）とし外輪を幅広とする。
さらに、第一及び第二実施形態においては、転がり軸受の例として深溝玉軸受をあげて説明したが、本発明は深溝玉軸受以外の種類の様々な転がり軸受に対して適用することができる。例えば、アンギュラ玉軸受，自動調心玉軸受，円筒ころ軸受，円すいころ軸受，針状ころ軸受，自動調心ころ軸受等のラジアル形の転がり軸受や、スラスト玉軸受，スラストころ軸受等のスラスト形の転がり軸受である。
【符号の説明】
【００５３】
１          内輪
１ａ        軌道面
２          外輪
２ａ        軌道面
３          転動体
６          オイルシール
６１          環状基部
６２          内側突出部
６２ａ        リップ部
６３          外側突出部
６４          第二凸部
６５          第一凸部
６６          外径側平面部分
６７          平面部分
【図１】
2013249859.tif 000003
【図２】
2013249859.tif 000004
【図３】
2013249859.tif 000005
【図４】
2013249859.tif 000006
【図５】
2013249859.tif 000007
【図６】
2013249859.tif 000008
【図７】
2013249859.tif 000009
【図８】
2013249859.tif 000010
【図９】
2013249859.tif 000011
【図１０】
2013249859.tif 000012